(57)【要約】      （修正有）【課題】垂直搬送ベルトコンベア用ローラを安全にかつ迅速に取り外すことができるように補助する冶具。【解決手段】垂直搬送ベルトコンベアにおいて、ガイドローラを垂直搬送部からナット５を緩めて取り外す際に使用する補助冶具であって、ナット５の内径よりも細いシャフト部、シャフト部の遠位端に設けられ、ナット５の内径よりも細く且つガイドローラの被把持部２９を包接して把持するためのレンチ部３１、およびシャフト部の近位端に設けられ、且つ把持することができる構造を有する被把持部３２を有する。【選択図】図７
2018111150.tif 000002
【特許請求の範囲】
【請求項１】
搬入部から、下側搬送部、垂直搬送部および上側搬送部を順次に経て、搬出部まで、繋がっている駆動用無端ベルト、
少なくとも垂直搬送部において駆動用無端ベルトにベルト面が対向して設置されている従接用無端ベルト、
駆動用無端ベルトと従接用無端ベルトとの間に固形物を保持するように、駆動用無端ベルトの側端および従接用無端ベルトの側端を挟持するエッジローラ、および
駆動用無端ベルトの側端と従接用無端ベルトの側端を揃えるように、側端を側方から抑えるガイドローラを有し、
ガイドローラが、軸棒、該軸棒の遠位端に設けられた軸棒を回転軸とする円柱形のロール、ならびに前記軸棒の近位端部に遠位側から近位側に向かって直列に併設された、ナットを螺合させて垂直搬送部に固設するための雄螺子部およびナットの内径よりも細く且つ把持することができる構造を有する被把持部を有し、
固形物を搬入部から、下側搬送部、垂直搬送部および上側搬送部を順次に経て、搬出部まで搬送することができる垂直搬送ベルトコンベアにおいて、
前記ガイドローラを垂直搬送部からナットを緩めて取り外す際に使用する補助冶具であって、
ナットの内径よりも細いシャフト部、
シャフト部の遠位端に設けられ、ナットの内径よりも細く且つガイドローラの被把持部を包接して把持するためのレンチ部、および
シャフト部の近位端に設けられ、且つ把持することができる構造を有する被把持部
を有する補助冶具。
【発明の詳細な説明】
【技術分野】
【０００１】
本発明は垂直搬送ベルトコンベア用ローラの取り外し補助冶具に関する。より詳細に、本発明は、人の背の高さよりも高い位置で且つ狭い場所に設置されているなどのために取り外しが比較的に困難である垂直搬送ベルトコンベア用ローラを安全にかつ迅速に取り外すことができるように補助する冶具に関する。
【背景技術】
【０００２】
一般に、工場などの設備は１年または２年毎の定期点検若しくは定期修理を行う必要がある。また突発的に修理が必要となることもある。固形粉末を階下から階上へと垂直に搬送する装置として、バケット式ベルトコンベア、２枚ベルト式ベルトコンベア、スクリュ式コンベアなどが知られている。特にベルトコンベアには、種々のローラが人の背の高さよりも高い位置で且つ狭い場所に設置されていることがある。装置を長い期間使用した結果として、ローラを固定しているボルトやナット等が固着して取り外しが困難になることがある。特に固形粉末が金属を腐食させる性質を有するものであるとき、固着の度合いは強くなっていることが多い。
【０００３】
ところで、特許文献１にはソケットレンチにおけるエキステンションバーが開示されている。特許文献２には、固結した部品を開放するための工具を構成する部品の一つとして延長ロッドが開示されている。
【先行技術文献】
【特許文献】
【０００４】
【特許文献１】実開昭５７−１５３４６５号公報
【特許文献２】特開昭５１−７１５９８号公報
【発明の概要】
【発明が解決しようとする課題】
【０００５】
本発明の課題は、人の背の高さよりも高い位置で且つ狭い場所に設置されているなどのために取り外しが比較的に困難である垂直搬送ベルトコンベア用ローラを安全にかつ迅速に取り外すことができるように補助する冶具を提供することである。
【課題を解決するための手段】
【０００６】
上記課題を解決すべく鋭意検討した結果、以下の形態を包含する本発明を完成するに至った。
〔１〕  搬入部から、下側搬送部、垂直搬送部および上側搬送部を順次に経て、搬出部まで、繋がっている駆動用無端ベルト、
少なくとも垂直搬送部において駆動用無端ベルトにベルト面が対向して設置されている従接用無端ベルト、
駆動用無端ベルトと従接用無端ベルトとの間に固形物を保持するように、駆動用無端ベルトの側端および従接用無端ベルトの側端を挟持するエッジローラ、および
駆動用無端ベルトの側端と従接用無端ベルトの側端を揃えるように、側端を側方から抑えるガイドローラを有し、
ガイドローラが、軸棒、該軸棒の遠位端に設けられた軸棒を回転軸とする円柱形のロール、ならびに前記軸棒の近位端部に遠位側から近位側に向かって直列に併設された、ナットを螺合させて垂直搬送部に固定するための雄螺子部およびナットの内径よりも細く且つ把持することができる構造を有する被把持部を有し、
固形物を搬入部から、下側搬送部、垂直搬送部および上側搬送部を順次に経て、搬出部まで搬送することができる垂直搬送ベルトコンベアにおいて、
前記ガイドローラを垂直搬送部からナットを緩めて取り外す際に使用する補助冶具であって、
ナットの内径よりも細いシャフト部、
シャフト部の遠位端に設けられ、ナットの内径よりも細く且つガイドローラの被把持部を包接して把持するためのレンチ部、および
シャフト部の近位端に設けられ、且つ把持することができる構造を有する被把持部
を有する補助冶具。
【発明の効果】
【０００７】
本発明の補助冶具は、人の背の高さよりも高い位置で且つ狭い場所に設置されているなどのために取り外しが比較的に困難である垂直搬送ベルトコンベア用ローラを安全にかつ迅速に取り外すことができる。本発明の補助冶具は、緩めて外れたナットやワッシャを失くすことなく垂直搬送ベルトコンベア用ローラを取り外すことができる。
【図面の簡単な説明】
【０００８】
【図１】垂直搬送ベルトコンベアの一例を示す概念図である。
【図２】下側搬送部の断面を示す図である。
【図３】垂直搬送部の断面を示す図である。
【図４】ガイドローラと、垂直搬送部の基台、ワッシャおよびナットを示す図である。
【図５】ガイドローラを垂直搬送部の基台に取り付けた状態を示す図である。
【図６】本発明の補助冶具の一例を示す図である。
【図７】本発明の補助冶具のレンチ部をガイドローラの被把持部に包接して把持した状態を示す図である。
【図８】緩んで外れたワッシャとナットを本発明の補助冶具で受け止めている状態を示す図である。
【図９】取り外したガイドローラを示す図である。
【実施例】
【０００９】
図面を参照して、本発明の補助冶具の実施例を説明する。
本発明の補助冶具１は、垂直搬送ベルトコンベア２において、ガイドローラ３を垂直搬送部４からナット５を緩めて取り外す際に使用するものである。
垂直搬送ベルトコンベア２は、駆動用無端ベルト６、従接用無端ベルト７、エッジローラ８、およびガイドローラ３を有する。
駆動用無端ベルト６は、搬入部１０から、下側搬送部１１、垂直搬送部４および上側搬送部１２を順次に経て、搬出部１３まで、繋がっている。駆動用無端ベルト６は、搬入部１０に設置されているテールプーリ１４、搬出部に設置されているドライブプーリ１５、下側搬送部と垂直搬送部との変曲部に設置されている下側ベンドプーリ１６、垂直搬送部と上側搬送部との変曲部に設置されている上側ベンドプーリ１７、およびそれらプーリの間に設置されているキャリアローラ１８によって支持されており、図１においては、右回りにベルト６が移動するようになっている。駆動用無端ベルト６は撓性を有するベルトである。下側搬送部１１にはベルトの下側の位置にあるキャリアローラ１８はトラフを形成している、トラフは、固形物２０を駆動用無端ベルト６に載せ、図２のようにベルト６が固形物２０の重みで撓んで湾曲したときに、ベルト６を支える。
【００１０】
従接用無端ベルト７は、少なくとも垂直搬送部４において駆動用無端ベルト６にベルト面が対向して設置されている。従接用無端ベルト７は、下側搬送部に設置されているテールプーリ２１、上側搬送部に設置されているヘッドプーリ２２、下側搬送部と垂直搬送部との変曲部に設置されている下側ベンドプーリ２３、垂直搬送部と上側搬送部との変曲部に設置されている上側ベンドプーリ２４、およびそれらプーリの間に設置されているキャリアローラ２５によって支持されており、図１において左回りにベルト７が移動するようになっている。従接用無端ベルト７は撓性を有するベルトである。
【００１１】
駆動用無端ベルト６および従接用無端ベルト７の幅は、その両側端が揃うようにほぼ同じに設定されている。エッジローラ８およびガイドローラ３が、少なくとも垂直搬送部４に複数設置されている。エッジローラ８の回転軸はベルトの幅方向に平行に位置する。ガイドローラ３の回転軸はベルトの法線方向に平行に位置する。図３に示すように、エッジローラ８が駆動用無端ベルト６と従接用無端ベルト７との間に固形物２０を保持するように、駆動用無端ベルト６の側端および従接用無端ベルト７の側端を挟持する。また、ガイドローラ３が、駆動用無端ベルト６の側端と従接用無端ベルト７の側端を揃えるように、側端を側方から抑える。ガイドローラ３によって、駆動用無端ベルト６および従接用無端ベルト７の横ずれを防止できる。搬送時における駆動用無端ベルト６および従接用無端ベルト７の移動速度はほぼ同じに設定されている。駆動用無端ベルト６と従接用無端ベルト７との間に保持された固形物２０は駆動用無端ベルト６および従接用無端ベルト７の移動に伴って下側搬送部から上側搬送部へと搬送される。なお、固形物２０は、駆動用無端ベルト６と従接用無端ベルト７との間に保持できるものであれば特に制限されず。例えば、粉末、顆粒、タブレット、ペレットなどの形態を成したものを挙げることができる。
【００１２】
ガイドローラ３は、軸棒２６、円柱形のロール２７、雄螺子部２８および被把持部２９を有する。円柱形のロール２７は、軸棒２６の遠位端にベアリング等を介して設けられており、軸棒２６を回転軸とする。雄螺子部２８および被把持部２９は、軸棒２６の近位端部に遠位側から近位側に向かって直列に設けられている。雄螺子部２８は、ナット５を螺合させて垂直搬送部４に固設するためのものである。被把持部２９は、ナット５の内径よりも細く且つ把持することができる構造を有する。軸棒の長さは垂直搬送部の基台４ｂにナット締めにて設置できる（図５参照）限り特に限定されない。本発明の補助冶具を使わない場合、図５に示すように基台４ｂに取り付けられたガイドローラ３は、被把持部２９をペンチ等で摘んで把持しナット５をスパナ等で緩めて外す。ところが被把持部の大きさは小さくナットを緩めたときには被把持部がナットに隠れてペンチ等で摘めなくなってしまう。腐食によって固着しているナットを緩めてガイドローラ９を取り外すには熟練を要する。
【００１３】
本発明の補助冶具１は、シャフト部３０、レンチ部３１、および被把持部３２を有する。シャフト部３０は、ナット５およびワッシャ９の内径よりも細い外径を有する。ナット５が緩んで、軸棒の雄螺子部２８から外れときに、図８に示すように、ナット５およびワッシャ９をシャフト部３０にて受けることができる。シャフト部３０の長さは、特に制限されないが、例えば、本発明の補助冶具１のレンチ部３１をガイドローラ９の被把持部２９に噛ませたときに、ガイドローラ９を固定しているナットと補助冶具の被把持部との距離が人の拳２個分より長く人の肩幅より短い程度となるような長さ、具体的には、約１０〜約３０ｃｍであることがより好ましい。シャフト部は捩れに対して耐性のある材料で構成されていることが好ましい。
【００１４】
補助冶具のレンチ部３１は、シャフト部３０の遠位端に設けられ、ナット５の内径よりも細い外径を有し且つガイドローラの被把持部２９を包接して把持することができる構造をしている（図７参照）。補助冶具の被把持部３２は、シャフト部３０の近位端に設けられ、把持することができる構造を有する。補助冶具のレンチ部３１で、ガイドローラの被把持部２９を包接して把持し、補助冶具１の被把持部３２をレンチ、ペンチ、スパナ、プライヤ等で把持してガイドローラの軸棒が回転しないようにしつつ、ガイドローラの雄螺子部２８に螺合されたナット５をプライヤ、スパナ等を用いて緩める。緩めて外れたナット５はシャフト部３０に受けとられる。
【符号の説明】
【００１５】
１＝補助冶具；
２＝垂直搬送ベルトコンベア；
３＝ガイドローラ；
４＝垂直搬送部；
５＝ナット；
６＝駆動用無端ベルト；
７＝従接用無端ベルト；
８＝エッジローラ；
９＝ワッシャ；
１０＝搬入部；
１１＝下側搬送部；
１２＝上側搬送部；
１３＝搬出部；
１４＝テールプーリ；
１５＝ドライブプーリ；
１６＝下側ベンドプーリ；
１７＝上側ベンドプーリ；
１８＝キャリアローラ；
１９＝トラフ；
２０＝固形物；
２１＝テールプーリ；
２２＝ヘッドプーリ；
２３＝下側ベンドプーリ；
２４＝上側ベンドプーリ；
２５＝キャリアローラ；
２６＝軸棒；
２７＝ロール；
２８＝雄螺子部；
２９：被把持部；
３０＝シャフト部；
３１＝レンチ部；
３２＝被把持部
【図１】
2018111150.tif 000003
【図２】
2018111150.tif 000004
【図３】
2018111150.tif 000005
【図４】
2018111150.tif 000006
【図５】
2018111150.tif 000007
【図６】
2018111150.tif 000008
【図７】
2018111150.tif 000009
【図８】
2018111150.tif 000010
【図９】
2018111150.tif 000011